(57)【要約】      （修正有）【課題】小型で使い勝手のよい千切装置を提供する。【解決手段】有底構造のケース本体の一方側に内設したハンドルを備えた駆動部と、駆動部と連結する、一方側から他方側に前進する押圧突起を備えた押圧体と、ケース本体の他方側の端部の開口部に内設した格子状の切断刃と、押圧体の後退時に、大根、塊状食品、その他の食品を収容する有底形状の空間と、で構成する。【選択図】図１
0003167881.tif 000002
【実用新案登録請求の範囲】
【請求項１】
有底構造のケース本体と、このケース本体の一方側に内設したハンドルを備えた駆動部と、この駆動部に連繋し、かつ前記ケース本体に内設した一方側から他方側に前進する押圧突起を備えた押圧体と、前記ケース本体の他方側の端部の開口部に内設した格子状の切断刃と、前記押圧体の後退時に、大根、塊状食品、その他の食品を収容する有底形状の空間と、で構成し、
前記押圧体が前進時に、その押圧突起で、前記大根、塊状食品、その他の食品を、順次、切断刃に向って当接可能とするとともに、その前進限で、この押圧突起が、切断刃の空間に挿入可能とした大根、塊状食品、その他の食品の千切装置。
【請求項２】
請求項１に記載の大根、塊状食品、その他の食品の千切装置であって、
前記駆動部は、ハンドルと、このハンドルを架承する第一軸に設けた第一歯車と、この第一歯車に噛合する前記ケース本体に支持した第二軸に設けた第二歯車と、この第二軸に設け、かつこの第二歯車とともに回転する第三歯車と、この第三歯車に噛合するこのケース本体に片持ちで支持した第三軸に設けた第四歯車と、この第四歯車に枢支したリンクとで構成した大根、塊状食品、その他の食品の千切装置。
【請求項３】
請求項１に記載の大根、塊状食品、その他の食品の千切装置であって、
前記リンクの自由端に前記押圧体を設け、このリンクの前進後退で、この押圧体を前進後退可能とする構成とした大根、塊状食品、その他の食品の千切装置。
【請求項４】
請求項３に記載の大根、塊状食品、その他の食品の千切装置であって、
前記押圧体の両側面には、ガイド部を対で設け、この対のガイド部が、前記ケース本体の両内側に設けた対のレール内を摺動可能とするとともに、このケース本体に設けた空間を、前記押圧体が、前進後退可能とする構成とした大根、塊状食品、その他の食品の千切装置。
【請求項５】
請求項１に記載の大根、塊状食品、その他の食品の千切装置であって、
前記切断刃は、山形刃部を有する縦の刃板を、複数枚配列し、この複数枚の縦の刃板部に対して、直交する山形刃部を有する横の刃板を、複数枚配列し、相互の山形刃部を直交させた山形刃を形成するとともに、この縦の刃板と、この横の刃板との間に、前記千切用の多数の空胴を形成する構成とした大根、塊状食品、その他の食品の千切装置。
【考案の詳細な説明】
【技術分野】
【０００１】
本考案は、大根、塊状食品、その他の食品、例えば、長薯、レンコン等（食材）の千切装置に関する。
【背景技術】
【０００２】
従来、この種の大根、塊状食品、その他の食品の千切装置に関しては、次に列挙する先行文献が挙げられるので、以下に、説明する。
【０００３】
文献（１）は、特開２００２−６６９８５の「野菜スティックカッター」である。この発明は、格子状の切断刃を備えた筒状器体と、この器体に摺動自在に套嵌され、かつ前記切断刃の格子状の隙間に差込まれる（嵌入される）嵌入凸部を備えた押圧体と、この押圧体を上部に設けた押圧筒体とで構成し、この器体と押圧体との空間に、食品を収容し、この押圧筒体で食品を押圧、かつ器体に、順次、套嵌することで、トコロテン方式で、ステック状の切断物加工（千切加工）する構造である。しかし、この発明は、構造上と人手による操作であり、小物の野菜、例えば、胡瓜、人参の如く、食品に限定されること、手間を要すること、等の問題がある。また、食品を立設する構造であり、小物の野菜とか、小径の野菜では、真直ぐに収容することは困難であること、また、正確な千切加工が期待できないことが考えられる。
【０００４】
また、文献（２）は、特開２００９−２６９１５９の「根菜類の拍子切り装置」である。この発明は、対のホッパー内に大根を、それぞれ収容し、側面から対のカッターを順次前進後退し、前記大根を所定の高さ寸法に輪切りし、この輪切り大根を、順次、刃物台に移動した後、この輪切り大根を、シリンダー等の押圧手段を介して、上下部刃物枠に押付ける。この押付けで、上下部刃物枠に設けた交差する上下部刃体を利用して、拍子切りを行う構造である。この発明は、自動化された構造で、有効であるが、大型な装置となること、動力を要すること、又は大根の寸法、形態がまちまちな状態では（作物は、このようになり易い）、使い勝手がよくないこと、等の改良点が考えられる。
【０００５】
その他として、こんにゃくとかトコロテンの押出し器具がある。例えば、特開２００９−２６２３２１の「ストリップ状食品成形機」（文献（３））とか、実用新案登録第３１３５７４９号の「トコロテン押出器」が挙げられる。これらは、格子状の刃物と、押圧体とでなる構造であり、空間内に食材を挿入し、押圧体で、この食材を押圧して、千切りする構造である。人手による押圧作業であることから、食材の種類が、比較的、柔らかい物に限定されること、又は用途の限定があること、等の改良点が考えられる。
【０００６】
【特許文献１】特開２００２−６６９８５
【特許文献２】特開２００９−２６９１５９
【特許文献３】特開２００９−２６２３２１
【特許文献４】実用新案登録第３１３５７４９号
【考案の概要】
【考案が解決しようとする課題】
【０００７】
前述した如く、文献（１）と文献（２）は、多量の食材を、一気に処理することと、装置が大型となり易いことで、それぞれ改良点や、問題点を抱えており、その解決が必要である。殊に、小型で、使い勝手のよい千切装置が要望されるところである。
【０００８】
また、文献（３）と文献（４）は、通常、見聞する押圧体と刃物とを利用した食材を押圧装置であり、人手による押圧作業であることで、食材の種類が、比較的、柔らかい物に限定されること、又は用途の限定があること、等の改良点が考えられる。
【０００９】
上記に鑑み、本考案は、以下の意図を達成する。
「イ」  小型で、使い勝手のよい千切装置の提供であって、殊に、家庭菜園とか、自家菜園等の如く、身近な菜園における、少量の食材を千切可能とする。
「ロ」  食材を確実に収容できる有底形状の空間を形成することで、この食材のセットと、安心に作業できる千切装置を提供する。
「ハ」  ケース本体内に、駆動部と、押圧体、並びに切断刃等を内設する構造であり、設置の容易化と、使用の簡便化等に有益な千切装置を提供する。
「ニ」  ケース本体を、細長形状としたことで、設置の安定性と、小スペースでの設置が図れること、等の有利性がある。
「ホ」  また、駆動をハンドルで行うことから、使用者のペースで、千切作業が行えて重宝する。
「ヘ」  駆動部を歯車機構とすることで、伝達の確実性と、振動と騒音が発生しない。
「ト」  押圧体のスムーズな移動を介して、有底形状の空間にセットした食材の押込みと、確実な千切が行える。
「チ」  切断刃の構造は、二枚の刃体を、方形枠体に、格子状に組合せて形成することと、この二枚の刃体間に、千切用の多数の空胴を形成する構造であり、千切り作業の容易化と、確実性、並びに切断刃の耐久性の向上に寄与する。
【課題を解決するための手段】
【００１０】
請求項１の考案は、前記「イ」〜「ホ」を達成することである。
【００１１】
請求項１は、有底構造の細長ケース本体と、このケース本体の一方側に内設したハンドルを備えた駆動部と、この駆動部に連繋し、かつ前記ケース本体に内設した一方側から他方側に前進する押圧突起を備えた押圧体と、前記ケース本体の他方側の端部の開口部に内設した格子状の切断刃と、前記押圧体の後退時に、大根、塊状食品、その他の食品を収容する有底形状の空間と、で構成し、
前記押圧体が前進時に、その押圧突起で、前記大根、塊状食品、その他の食品を、順次、切断刃に向って当接可能とするとともに、その前進限で、この押圧突起が、切断刃の空間に挿入可能とした大根、塊状食品、その他の食品の千切装置である。
【００１２】
請求項２・３の考案は、前記「イ」〜「ヘ」を達成することである。
【００１３】
請求項２は、請求項１に記載の大根、塊状食品、その他の食品の千切装置であって、
前記駆動部は、ハンドルと、このハンドルを架承する第一軸に設けた第一歯車と、この第一歯車に噛合する前記ケース本体に支持した第二軸に設けた第二歯車と、この第二軸に設け、かつこの第二歯車とともに回転する第三歯車と、この第三歯車に噛合するこのケース本体に片持ちで支持した第三軸に設けた第四歯車と、この第四歯車に枢支したリンクとで構成した大根、塊状食品、その他の食品の千切装置である。
【００１４】
請求項３は、請求項１に記載の大根、塊状食品、その他の食品の千切装置であって、
前記リンクの自由端に前記押圧体を設け、このリンクの前進後退で、この押圧体を前進後退可能とする構成とした大根、塊状食品、その他の食品の千切装置である。
【００１５】
請求項４の考案は、前記「イ」〜「ホ」と、「ト」を達成することである。
【００１６】
請求項４は、請求項３に記載の大根、塊状食品、その他の食品の千切装置であって、
前記押圧体の両側面には、ガイド部を対で設け、この対のガイド部が、前記ケース本体の両内側に設けた対のレール内を摺動可能とするとともに、このケース本体に設けた空間を、前記押圧体が、前進後退可能とする構成とした大根、塊状食品、その他の食品の千切装置である。
【００１７】
請求項５の考案は、前記「イ」〜「ホ」と、「チ」を達成することである。
【００１８】
請求項５は、請求項１に記載の大根、塊状食品、その他の食品の千切装置であって、
前記切断刃は、山形刃部を有する縦の刃板を、複数枚配列し、この複数枚の縦の刃板部に対して、直交する山形刃部を有する横の刃板を、複数枚配列し、相互の山形刃部を直交させた山形刃を形成するとともに、この縦の刃板と、この横の刃板との間に、前記千切用の多数の空胴を形成する構成とした大根、塊状食品、その他の食品の千切装置である。
【考案の効果】
【００１９】
請求項１の考案は、有底構造のケース本体と、ケース本体の一方側に内設したハンドルを備えた駆動部と、駆動部に連繋し、かつケース本体に内設した一方側から他方側に前進する押圧突起を備えた押圧体と、ケース本体の他方側の端部の開口部に内設した格子状の切断刃と、押圧体の後退時に、大根、塊状食品、その他の食品を収容する有底形状の空間と、で構成し、
押圧体が前進時に、押圧突起で、大根、塊状食品、その他の食品を、順次、切断刃に向って当接可能とするとともに、前進限で、押圧突起が、切断刃の空間に挿入可能とした大根、塊状食品、その他の食品の千切装置である。
【００２０】
従って、請求項１は、「イ」〜「ホ」の特徴がある。
「イ」  小型で、使い勝手のよい千切装置の提供であって、殊に、家庭菜園とか、自家菜園等の如く、身近な菜園における、少量の食材を千切可能となる。
「ロ」  食材を確実に収容できる有底形状の空間を形成することで、この食材のセットと、安心に作業できる千切装置を提供できる。
「ハ」  ケース本体内に、駆動部と、押圧体、並びに切断刃等を内設する構造であり、設置の容易化と、使用の簡便化等に有益な千切装置を提供できる。
「ニ」  ケース本体を、細長形状としたことで、設置の安定性と、小スペースでの設置が図れること、等の有利性がある。
「ホ」  また、駆動をハンドルで行うことから、使用者のペースで、千切作業が行えて重宝する。
【００２１】
請求項２の考案は、請求項１に記載の大根、塊状食品、その他の食品の千切装置であって、
駆動部は、ハンドルと、ハンドルを架承する第一軸に設けた第一歯車と、第一歯車に噛合する前記ケース本体に支持した第二軸に設けた第二歯車と、第二軸に設け、かつ第二歯車とともに回転する第三歯車と、第三歯車に噛合するケース本体に片持ちで支持した第三軸に設けた第四歯車と、第四歯車に枢支したリンクとで構成した大根、塊状食品、その他の食品の千切装置である。
【００２２】
請求項３の考案は、請求項１に記載の大根、塊状食品、その他の食品の千切装置であって、
リンクの自由端に押圧体を設け、リンクの前進後退で、押圧体を前進後退可能とする構成とした大根、塊状食品、その他の食品の千切装置である。
【００２３】
従って、請求項２・３は、前記「イ」〜「ホ」の他に、下記の「ヘ」の特徴がある。
「ヘ」  駆動部を歯車機構とすることで、伝達の確実性と、振動と騒音が発生しない。
【００２４】
請求項４の考案は、請求項３に記載の大根、塊状食品、その他の食品の千切装置であって、
押圧体の両側面には、ガイド部を対で設け、対のガイド部が、ケース本体の両内側に設けた対のレール内を摺動可能とするとともに、ケース本体に設けた空間を、押圧体が、前進後退可能とする構成とした大根、塊状食品、その他の食品の千切装置である。
【００２５】
従って、請求項４は、前記「イ」〜「ホ」の他に、下記の「ト」の特徴がある。
「ト」  押圧体のスムーズな移動を介して、有底形状の空間にセットした食材の押込みと、確実な千切が行える。
【００２６】
請求項５の考案は、請求項１に記載の大根、塊状食品、その他の食品の千切装置であって、
切断刃は、山形刃部を有する縦の刃板を、複数枚配列し、複数枚の縦の刃板部に対して、直交する山形刃部を有する横の刃板を、複数枚配列し、相互の山形刃部を直交させた山形刃を形成するとともに、縦の刃板と、横の刃板との間に、千切用の多数の空胴を形成する構成とした大根、塊状食品、その他の食品の千切装置である。
【００２７】
従って、請求項４は、前記「イ」〜「ホ」の他に、下記の「チ」の特徴がある。
「チ」  切断刃の構造は、二枚の刃体を、方形枠体に、格子状に組合せて形成することと、この二枚の刃体間に、千切用の多数の空胴を形成する構造であり、千切り作業の容易化と、確実性、並びに切断刃の耐久性の向上に寄与できる。
【図面の簡単な説明】
【００２８】
【図１】千切装置の全体を示しており、押圧体が後退し、有底形状の空間が形成された状態の俯瞰図
【図２】図１の状態において、有底形状の空間に、大根（食材の一例）を投入する状態の俯瞰図
【図３】有底形状の空間に、大根を投入完了した状態の俯瞰図
【図４】有底形状の空間に、投入した大根を、押圧体で、前進方向に押圧開始しようとする状態の俯瞰図
【図５】有底形状の空間に、投入した大根が、順次、前進方向に押圧されることで、大根の千切りが順次行われる状態の俯瞰図
【図６】大根の千切りが順次行われて、この千切りが完了した状態の俯瞰図
【図７】図１の最初の状態に戻った状態の俯瞰図
【図８】千切り装置を側面で切断した拡大断面図
【図９】千切り装置の拡大平面図
【図１０】切断刃を示した拡大斜視図
【図１１】切断刃のパーツで、縦の刃板と、横の刃板を示した図
【考案を実施するための形態】
【００２９】
１は有底構造の細長でなるケース本体で、このケース本体１は、左右の側板１００、１０１と、この側板１００、１０１の下側を支持する底板１０２と、この側板１００、１０１の上側を支持する差渡し板１０３と、また、この側板１００、１０１の後側（一方側１ａ）を支持する後板１０４で構成される。そして、このケース本体１の他方側１ｂは開口部１０５となっている。尚、図中１ｃは、ケース本体１の上面開口部である。
【００３０】
このケース本体１の一方側１ａには、駆動部２か内設されている。この駆動部２は、側板１００の外側に設けたハンドル３と、このハンドル３を架承する側板１００、１０１（ケース本体１）に支持した（軸支した）第一軸２００と、この第一軸２００に設けた第一歯車２０１と、この第一歯車２０１に噛合するケース本体１に支持した第二軸２０２に設けた第二歯車２０３と、この第二軸２０２に設け、かつこの第二歯車２０３とともに回転する第三歯車２０４と、この第三歯車２０４に噛合するこのケース本体１に片持ちで支持した第三軸２０５に設けた第四歯車２０６と、この第四歯車２０６の偏芯板に枢支したリンク５とで構成する。そして、このリンク５の基端５ａは、第四歯車２０６に偏芯して枢着されていることと、このリンク５は、第三軸２０５と側板１００との隙間に設けられる。また、リンク５の他端５ｂは、後述する押圧体６に枢着される。
【００３１】
そして、この第一歯車２０１〜第四歯車２０６の支持と、外径等の位置関係は、側面視して、図８の如くなる。
【００３２】
◎  第一歯車２０１は、小径であって、側板１００（対の例では一方の符号とする）の左右（一方側１ａと他方側１ｂ）の略中心で、かつ上下（差渡し板１０３と底板１０２）の略中心にある第一軸２００に支持する。
【００３３】
◎  また、第二歯車２０３は、大径であって、第一歯車２０１の一方側１ａで、かつ第一歯車２０１と略同じように、上下の略中心にある第二軸２０２に支持する。尚、この第二歯車２０３の外径は、第二歯車２０３が大径であることから、この外径は、略一方側１ａに至るとともに、上下の中心より上方に至る。
【００３４】
◎  さらに、第三歯車２０４は、小径であって、前記第二軸２０２に支持されることで、前記第二歯車２０３と同じ中心にあり、かつ第二歯車２０３と同じように支持される。尚、この第三歯車２０４の外径は、第三歯車２０４が小径であることから、この外径は、一方側１ａより内方であり、かつ上下の略中心より下側に支持する。
【００３５】
◎  最後の第四歯車２０６は、大径であって、前記上下の上方に片持ち構造で設けた第三軸２０５に片持ちで支持される。第四歯車２０６は、前記第二軸２０２の上方に位置に支持される。尚、この第四歯車２０６の外径は、第四歯車２０６が大径であることから、この外径は、一方側１ａより内方であり、かつ差渡し板１０３より突出する構造とし、この第四歯車２０６（駆動部２）が回転している状態を視認できる構造となっている。
【００３６】
尚、この駆動部２（第四歯車２０６）をカバーする蓋９を着脱自在に設けることが望ましい。またこの蓋９を透明部材で構成し、視認可能とすることが望ましい。
【００３７】
また、この第一歯車２０１〜第四歯車２０６を介して、ハンドル３の回転を、減速回転するが、一例である。そして、その動作を説明すると、ハンドル３を時計方向に回転することで、その回転は、図示では、矢印（イ）〜（ニ）の如く、次のように伝達される。第一歯車２０１→減速して第二歯車２０３→第三歯車２０４→減速して第四歯車２０６のルートとなる。この回転で、リンク５が、図４〜図６の如く、一方側１ａから地方側１ｂに向かって、前進後退する構造であり、図示では、矢印（ホ）〜（ト）となる。
【００３８】
図中６は前述した如く、押圧体で、この押圧体６は、リンク５の他端５ｂに枢着されており、第四歯車２０６の回転と、リンク５の一方側１ａから地方側１ｂに向かっての前進後退とにより、リンク５と同様に前進後退する。この押圧体６の前進側６ａには、格子形状の押圧突起６００が多数突設されている。また、この押圧突起６００の間には、後述する切断刃８の縦横の刃体８００、８０１の挿入を許す格子状の隙間６０１が形成される。尚、前述の如く、押圧体６の前進後退で、この押圧突起６００も同時に動く構造である。
【００３９】
この切断刃８は、ケース本体１の他方側１ｂに形成した開口部１０５の上方に、着脱自在に設けられており、前記押圧体６の押圧突起６００の貫通を許す格子状の空洞１０を有する。従って、この空洞１０と押圧突起６００は同じ数であることと、ケース本体１の水平方向における同じ位置に設けられる構造である。また、この刃物刃８と、後退位置にある押圧突起６００（押圧体６）との間で、左右側板１００、１０１との間には、食材Ｆを挿入する空間１１が形成されるとともに、この空間１１は底板１２を有する（有底形状の空間）。この底板１２の上に、食材Ｆが載置される。尚、この切断刃８は、差込み用切欠き８ｂを複数備えた四枚の枠板８ａと、この枠板８ａを方形状に枠組みした枠８ｃと、縦横の刃体８００、８０１で構成する。そして、この縦の刃体８００は、差込み片８００ａを左右端に設けた切り刃となる刃板８００ｂと、この刃板８００ｂに複数設けた先達となる山形の刃部８００ｃと、この刃部８００ｃ間に設けた谷部８００ｄと、また、この刃部８００ｃの頂点に垂設した合体溝８００ｅとで構成する。また、この横の刃体８０１は、差込み片８０１ａを左右端に設けた切り刃となる刃板８０１ｂと、この刃板８０１ｂに複数設けた先達となる山形の刃部８０１ｃと、この刃部８０１ｃ間に設けた谷部８０１ｄと、この刃部８０１ｃの対峙側の底部８０１ｆに設けた前記縦の刃体８００の底部８００ｆが差込まれる合体溝８０１ｅとで構成する。
【００４０】
この切断刃８を組立てる一例を説明すると、例えば、上下の枠板８ａ、８ａ（対の例では、８ａとする）の多数の切欠き８ｂ（多数を省略する）に、順次、多数の縦の刃体８００の両差込み片８００ａ、８００ａ（両を省略する）を差込み、上下の枠板８ａに、縦の刃体８００が組付けられる。尚、必要により、差込み片８００ａを溶接、又は接着、プレス加工等で固定する。続いて、この縦の刃体８００に、多数の横の刃体８０１を格子状に組付ける。例えば、列設された縦の刃体８００の刃部８００ｃに設けた端にある合体溝５００ｅに、一枚の横の刃体８０１の底部８０１ｆに設けた合体溝８０１ｅを、順次、差込むとで、この列設された縦の刃体８００に、一枚の横の刃体８０１が組付けられるとともに、刃部８００ｃ、８０１ｃとで、山形で、かつクロスした先達刃部８８がそれぞれ形成される。このような、列設された縦の刃体８００に、順次、所定枚数の横の刃体８０１が、順次、組付けることで、縦横の刃体８００、８０１により、格子状の切断刃８が形成されることと、この縦横の刃体８００、８０１の間に、多数の空胴１０が形成される。さして、最後に左右の枠８ｃの切欠き８ｂを、順次、横の刃体８０１の差込み片８０１ａに被嵌することで、左右の枠板８ａが、横の刃体８０１に組付けられる。そこで、上下の枠体８ａの端を溶接、又は接着等の手段で固定する。尚、図１０の如く、前記クロスした先達刃部８８の先端山部を、Ｒ形状として、食材Ｆへの衝撃解消と、このクロスした先達刃部８８への抵抗軽減化に役立つ構造とすることが望ましい。そして、また、縦横の刃体８００、８０１の刃板８００ｂ、８０１ｂには、適宜、開口１５を開設し、水分の排出と、軽量化等を意図する。
【００４１】
尚、前記押圧体６を、スムーズかつ盲動することなく、前進後退（一方側１ａから他方側１ｂに向っての移動）するガイド手段（装置）が設けられている。この一例では、押圧体６（押圧突起６００）の両下端部６ｂ、６ｂ（両下側面）のガイド部６０２が、ケース本体１の側板１００、１０１及び底板１０２に設けたレール１３、１３に添って移動することで、前記目的を達成する。この構造は一例であり、目的を達成する構造であれば、限定されない。
【００４２】
続いて、図２〜図７に示した使用状態を説明すると、図２は、押圧体６とリンク５が後退限にあり、また、ハンドル３は下端限にある。この図２の状態においては、空間１１が最大に開口している。この空間１１に食材Ｆを投入する。この一例では、底板１０２と側板１００、１０１とで形成された空間１１に投入される。また、人手で投入するが、図示しない、シュータの例もあり得る。この投入が修了した状態が、図３に示されている。そこで、ハンドル３を時計方向に回転することで、第四歯車２０６が、時計方向に回転する（第一歯車２０１から第四歯車２０６の回転方向と、その動きは、前述した）。この第四歯車２０６の反時計方向への回転で、リンク５が他方側１ｂに向って前進し、同時に、押圧体６がガイド手段を介して前進するとともに、食材Ｆを他方側１ｂ（切断刃８）に向って前進する。この状態を図４に示されている。続いて、さらに、ハンドル３を時計方向に回転することで、第四歯車２０６が、時計方向に回転する。この第四歯車２０６の時計方向への回転で、リンク５が、さらに、他方側１ｂに向って前進し、同時に、押圧体６が、さらに、前進するとともに、食材Ｆを他方側１ｂ（切断刃８）に向って前進する。そして、食材Ｆの一部が切断刃８で千切され、空胴１０より前方側１ｄに押出される。この状態を図５に示されている。この図５の状態を経て、図６の状態では、ハンドル５が、下端限に至るとともに、第四歯車２０６の時計方向への回転で、リンク５が、前進限となり、切断刃８の空胴１０より、押圧体６の押圧突起６００が、前方側１ｃより突出し、千切り食材Ｆ１をケース１６内に落し込む。この状態を図６に示されている。その後、ハンドル３をさらに回転すると、同時に、第四歯車２０６が時計方向に回転する。この第四歯車２０６の回転で、リンク５が後退し、かつ押圧体６の押圧突起６００も順次後退するが、先ず、この押圧突起６００が、切断刃８の空胴１０より脱抜される。その後、順次、ハンドル３を回転することで、ガイド手段に誘導され、一方側１ａに向かって押圧体６が後退していく。そして、この押圧体６が後退限となり、最初の状態に戻り、空間１１が形成される。この状態を図６に示されている。以下、前記図２〜図７の繰り返しである。
【符号の説明】
【００４３】
１            ケース本体
１００        側板
１０１        側板
１０２        底板
１０３        差渡し板
１０４        後板
１０５        開口部
１ａ          一方側
１ｂ          他方側
１ｃ          上面開口部
１ｄ          前方側
２            駆動部
２００        第一軸
２０１        第一歯車
２０２        第二軸
２０３        第二歯車
２０４        第三歯車
２０５        第三軸
２０６        第四歯車
３            ハンドル
５            リンク
５ａ          基端
５ｂ          他端
６            押圧体
６ａ          前進側
６ｂ          端部
６００        押圧突起
６０１        隙間
６０２        ガイド部
８            切断刃
８ａ          枠板
８ｂ          切欠き
８ｃ          枠
８８          先達刃部
８００        縦の刃体
８００ａ      差込み片
８００ｂ      刃板
８００ｃ      刃部
８００ｄ      谷部
８００ｅ      合体溝
８００ｆ      底部
８０１        横の刃体
８０１ａ      差込み片
８０１ｂ      刃板
８０１ｃ      刃部
８０１ｄ      谷部
８０１ｅ      合体溝
８０１ｆ      底部
９            蓋
１０          空洞
１１          空間
１２          底板
１３          レール
１５          開口
１６          ケース
Ｆ            食材
Ｆ１          千切り食材
【図１】
0003167881.tif 000003
【図２】
0003167881.tif 000004
【図３】
0003167881.tif 000005
【図４】
0003167881.tif 000006
【図５】
0003167881.tif 000007
【図６】
0003167881.tif 000008
【図７】
0003167881.tif 000009
【図８】
0003167881.tif 000010
【図９】
0003167881.tif 000011
【図１０】
0003167881.tif 000012
【図１１】
0003167881.tif 000013